(57)【特許請求の範囲】
【請求項１】
呼接続処理装置の動作方法であって、
前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、
前記呼接続処理装置は、
前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、
前記有効時間長閾値が記憶される有効時間長閾値記憶部とを備え、
前記動作方法は、
前記呼接続処理装置の呼接続処理部が、前記位置情報登録要求を受信したなら、前記有効時間長閾値記憶部から有効時間長閾値を取得し、当該位置情報登録要求から電話番号と位置情報と有効時間長を取り出し、当該有効時間長が当該有効時間長閾値以上なら、前記固定端末から当該位置情報登録要求が送信されたと判定する一方、当該有効時間長が有効時間長閾値未満なら、前記移動端末から当該位置情報登録要求が送信されたと判定する
ことを特徴とする呼接続処理装置の動作方法。
【請求項２】
前記呼接続処理装置の呼接続処理部が、前記固定端末から位置情報登録要求が送信されたと判定したなら、当該位置情報登録要求から取り出した電話番号に対応づけられた固定端末情報を前記位置情報記憶部から検索し、当該位置情報登録要求から取り出した有効時間長に基づく有効期限を求め、当該固定端末情報に当該位置情報および当該有効期限を書き込む一方、前記移動端末から位置情報登録要求が送信されたと判定したなら、当該位置情報登録要求から取り出した電話番号に対応づけられた移動端末情報を前記位置情報記憶部から検索し、当該位置情報登録要求から取り出した有効時間長に基づく有効期限を求め、当該移動端末情報に当該位置情報および当該有効期限を書き込む
ことを特徴とする請求項１記載の呼接続処理装置の動作方法。
【請求項３】
呼接続処理装置の動作方法であって、
前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、
前記呼接続処理装置は、
前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、
前記有効時間長閾値が記憶される有効時間長閾値記憶部とを備え、
前記動作方法は、
前記呼接続処理装置の呼接続処理部が、前記電話番号を含む呼接続要求信号を受信したなら、当該呼接続要求信号から当該電話番号を取り出し、当該電話番号に対応づけられた移動端末情報を前記位置情報記憶部から検索し、当該移動端末情報から有効期限を読み出し、当該有効期限が到来していないなら、当該移動端末情報から位置情報を読み出し、当該位置情報を宛先として呼接続要求信号を送信する一方、当該電話番号に対応づけられた固定端末情報を前記位置情報記憶部から検索し、当該固定端末情報から有効期限を読み出し、当該有効期限が到来していないなら、当該固定端末情報から位置情報を読み出し、当該位置情報を宛先として呼接続要求信号を送信する
ことを特徴とする呼接続処理装置の動作方法。
【請求項４】
呼接続処理装置であって、
前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、
前記呼接続処理装置は、
前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、
前記有効時間長閾値が記憶される有効時間長閾値記憶部と、
前記位置情報登録要求を受信したなら、前記有効時間長閾値記憶部から有効時間長閾値を取得し、当該位置情報登録要求から電話番号と位置情報と有効時間長を取り出し、当該有効時間長が当該有効時間長閾値以上なら、当該電話番号に対応づけられた固定端末情報を前記位置情報記憶部から検索し、当該有効時間長に基づく有効期限を求め、当該固定端末情報に当該位置情報および当該有効期限を書き込む一方、当該有効時間長が有効時間長閾値未満なら、当該電話番号に対応づけられた移動端末情報を前記位置情報記憶部から検索し、当該有効時間長に基づく有効期限を求め、当該移動端末情報に当該位置情報および当該有効期限を書き込み、前記電話番号を含む呼接続要求信号を受信したなら、当該呼接続要求信号から当該電話番号を取り出し、当該電話番号に対応づけられた移動端末情報を前記位置情報記憶部から検索し、当該移動端末情報から有効期限を読み出し、当該有効期限が到来していないなら、当該移動端末情報から位置情報を読み出し、当該位置情報を宛先として呼接続要求信号を送信する一方、当該電話番号に対応づけられた固定端末情報を前記位置情報記憶部から検索し、当該固定端末情報から有効期限を読み出し、当該有効期限が到来していないなら、当該固定端末情報から位置情報を読み出し、当該位置情報を宛先として呼接続要求信号を送信する呼接続処理部と
を備えることを特徴とする呼接続処理装置。
【発明の詳細な説明】
【技術分野】
【０００１】
本発明は、呼接続処理装置およびその動作方法に関するものである。
【背景技術】
【０００２】
近年にあっては、ＩＰ網を経由して音声通信を行うＶｏＩＰ用電話端末や、ＶｏＩＰ対応のＴＡ（ターミナルアダプタ）に接続した電話端末を使用するＶｏＩＰ通信が利用されている。また、移動端末から無線ＬＡＮ等を利用して直接ＩＰ網に接続する利用も拡がっており、移動端末を使用したＶｏＩＰ通信も利用されている。
【０００３】
ユーザが、同一の電話番号を用いて、家では固定端末での着信、外出先では移動端末での着信を実施したい場合、従来では下記のような方法がある。
【０００４】
（１）移動端末に固定端末とは別の電話番号を付与し、一旦固定端末（もしくは移動端末）に着信し、着信不可だった場合に移動端末（もしくは固定端末）に転送する。
【０００５】
（２）移動端末に固定端末とは別の電話番号を付与し、固定端末、移動端末に対して順次または一斉に着信させる（代表選択着信）。
【０００６】
いずれの場合も、固定端末と移動端末で異なる電話番号をもつ必要がある。  
また、固定端末と移動端末に同一の電話番号を付与し、呼接続処理装置で位置情報を複数保持し、着信時に保持した複数の位置情報をもつ端末に着信させることも可能であるが、移動端末はＩＰ網に接続する位置が変わると位置登録を実施するため、呼接続処理装置に保持される位置情報の全てが、移動端末が移動する過程において登録した位置情報となってしまう場合があり、その場合、固定端末への着信ができない
【先行技術文献】
【非特許文献】
【０００７】
【非特許文献１】「無線LAN対応携帯電話：NTT東日本ひかり電話サービス」、［ｏｎｌｉｎｅ］、東日本電信電話株式会社、［平成２３年５月１８日検索］、インターネット＜ＵＲＬ：http://flets.com/hikaridenwa/subscription/wireless_mobile.html＞
【発明の概要】
【発明が解決しようとする課題】
【０００８】
本発明は、上記の課題に鑑みてなされたものであり、その目的とするところは、同一の電話番号を付与された固定端末と移動端末のどちらにも呼を着信させることができる呼接続処理装置およびその動作方法を提供することにある。
【課題を解決するための手段】
【０００９】
上記の課題を解決するために、第１の本発明は、呼接続処理装置の動作方法であって、前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、前記呼接続処理装置は、前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、前記有効時間長閾値が記憶される有効時間長閾値記憶部とを備え、前記動作方法は、前記呼接続処理装置の呼接続処理部が、前記位置情報登録要求を受信したなら、前記有効時間長閾値記憶部から有効時間長閾値を取得し、当該位置情報登録要求から電話番号と位置情報と有効時間長を取り出し、当該有効時間長が当該有効時間長閾値以上なら、前記固定端末から当該位置情報登録要求が送信されたと判定する一方、当該有効時間長が有効時間長閾値未満なら、前記移動端末から当該位置情報登録要求が送信されたと判定することを特徴とする呼接続処理装置の動作方法をもって解決手段とする。
【００１０】
例えば、前記呼接続処理装置の呼接続処理部が、前記固定端末から位置情報登録要求が送信されたと判定したなら、当該位置情報登録要求から取り出した電話番号に対応づけられた固定端末情報を前記位置情報記憶部から検索し、当該位置情報登録要求から取り出した有効時間長に基づく有効期限を求め、当該固定端末情報に当該位置情報および当該有効期限を書き込む一方、前記移動端末から位置情報登録要求が送信されたと判定したなら、当該位置情報登録要求から取り出した電話番号に対応づけられた移動端末情報を前記位置情報記憶部から検索し、当該位置情報登録要求から取り出した有効時間長に基づく有効期限を求め、当該移動端末情報に当該位置情報および当該有効期限を書き込む。
【００１１】
第２の本発明は、呼接続処理装置の動作方法であって、前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、前記呼接続処理装置は、前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、前記有効時間長閾値が記憶される有効時間長閾値記憶部とを備え、前記動作方法は、前記呼接続処理装置の呼接続処理部が、前記電話番号を含む呼接続要求信号を受信したなら、当該呼接続要求信号から当該電話番号を取り出し、当該電話番号に対応づけられた移動端末情報を前記位置情報記憶部から検索し、当該移動端末情報から有効期限を読み出し、当該有効期限が到来していないなら、当該移動端末情報から位置情報を読み出し、当該位置情報を宛先として呼接続要求信号を送信する一方、当該電話番号に対応づけられた固定端末情報を前記位置情報記憶部から検索し、当該固定端末情報から有効期限を読み出し、当該有効期限が到来していないなら、当該固定端末情報から位置情報を読み出し、当該位置情報を宛先として呼接続要求信号を送信することを特徴とする呼接続処理装置の動作方法をもって解決手段とする。
【００１２】
第３の本発明は、呼接続処理装置であって、前記呼接続処理装置とともに使用される移動端末と固定端末のそれぞれに同一の電話番号が割り当てられ、当該移動端末は、当該電話番号と当該移動端末の位置を示す位置情報と予め定められた有効時間長閾値未満の有効時間長とを含む位置情報登録要求を前記呼接続処理装置に送信する一方、当該固定端末は、当該電話番号と当該固定端末の位置を示す位置情報と前記有効時間長閾値以上の有効時間長とを含む位置情報登録要求を前記呼接続処理装置に送信するようになっており、前記呼接続処理装置は、前記電話番号に対応づけて、前記移動端末からの位置情報登録要求に含まれる位置情報および当該位置情報登録要求に含まれる有効時間長に基づく有効期限が書き込まれる移動端末情報ならびに、前記固定端末からの位置情報登録要求に含まれる位置情報および当該位置情報登録要求に含まれる有効時間長に基づく有効期限が書き込まれる固定端末情報が記憶される位置情報記憶部と、前記有効時間長閾値が記憶される有効時間長閾値記憶部と、前記位置情報登録要求を受信したなら、前記有効時間長閾値記憶部から有効時間長閾値を取得し、当該位置情報登録要求から電話番号と位置情報と有効時間長を取り出し、当該有効時間長が当該有効時間長閾値以上なら、当該電話番号に対応づけられた固定端末情報を前記位置情報記憶部から検索し、当該有効時間長に基づく有効期限を求め、当該固定端末情報に当該位置情報および当該有効期限を書き込む一方、当該有効時間長が有効時間長閾値未満なら、当該電話番号に対応づけられた移動端末情報を前記位置情報記憶部から検索し、当該有効時間長に基づく有効期限を求め、当該移動端末情報に当該位置情報および当該有効期限を書き込み、前記電話番号を含む呼接続要求信号を受信したなら、当該呼接続要求信号から当該電話番号を取り出し、当該電話番号に対応づけられた移動端末情報を前記位置情報記憶部から検索し、当該移動端末情報から有効期限を読み出し、当該有効期限が到来していないなら、当該移動端末情報から位置情報を読み出し、当該位置情報を宛先として呼接続要求信号を送信する一方、当該電話番号に対応づけられた固定端末情報を前記位置情報記憶部から検索し、当該固定端末情報から有効期限を読み出し、当該有効期限が到来していないなら、当該固定端末情報から位置情報を読み出し、当該位置情報を宛先として呼接続要求信号を送信する呼接続処理部とを備えることを特徴とする呼接続処理装置をもって解決手段とする。
【発明の効果】
【００１３】
本発明によれば、同一の電話番号を付与された固定端末と移動端末のどちらにも呼を着信させることができる。
【図面の簡単な説明】
【００１４】
【図１】本実施の形態に係る呼接続処理装置を含む通信システムの構成図である。
【図２】呼接続処理装置１の概略構成を示すブロック図である。
【図３】位置情報記憶部１１の内容の一例を示す図である。
【図４】呼接続処理装置１が位置情報登録要求を受信した場合の動作を示すフローチャートである。
【図５】呼接続処理装置１が呼接続要求信号を受信した場合の動作を示すフローチャートである。
【図６】固定端末２から位置情報登録要求が送信された場合のシーケンス図である。
【図７】固定端末３から呼接続要求信号が送信された場合のシーケンス図である。
【発明を実施するための形態】
【００１５】
以下、本発明の実施の形態について図面を参照して説明する。
【００１６】
図１は、本実施の形態に係る呼接続処理装置を含む通信システムの構成図である。  
呼接続処理装置１は、固定端末２、３および図示しない他の固定端末、ならびに、移動端末４および図示しない他の移動端末を含む通信網に設けられる。以下、固定端末２、３および図示しない他の固定端末を区別しないときは、いずれについても「固定端末」という。また、移動端末４および図示しない他の移動端末を区別しないときは、いずれについても「移動端末」という。また、固定端末、移動端末を区別しないときは、いずれについても「端末」という。
【００１７】
移動端末４は、ユーザＡに所持され、ユーザＡとともに移動する。固定端末２は、ユーザＡの自宅に設置され、固定端末２と移動端末４には同一の電話番号「０５０−１１１１−１１１１」が割り当てられていることとする。固定端末２は、ユーザＢの自宅に設置されたこととする。
【００１８】
各移動端末は、当該移動端末を含むエリアの基地局から当該移動端末の位置を示す位置情報（ＩＰアドレスなど）が付与されたときや、その後、当該移動端末が起動されたとき、当該移動端末に割り当てられた電話番号と当該位置情報と予め定められた有効時間長閾値ＴＨ未満の有効時間長とを含む位置情報登録要求を呼接続処理装置１に送信するようになっている。
【００１９】
また、各固定端末は、例えば、当該固定端末を収容する網から当該固定端末の位置を示す位置情報（ＩＰアドレスなど）が付与されたとき、当該固定端末に割り当てられた電話番号と当該位置情報と有効時間長閾値ＴＨ以上の有効時間長とを含む位置情報登録要求を呼接続処理装置１に送信するようになっている。
【００２０】
呼接続処理装置１は、位置情報登録要求を受信したなら、位置情報登録要求から電話番号と位置情報と有効時間長を取り出し、有効時間長に基づく有効期限を求め、電話番号に対応づけて位置情報および有効期限を記憶するようになっている。
【００２１】
例えば、ユーザＢは、ユーザＡと通話すべく、固定端末３に電話番号「０５０−１１１１−１１１１」を入力し、これにより、固定端末３は、当該電話番号を含む呼接続要求信号を呼接続処理装置１に送信する。
【００２２】
呼接続処理装置１は、このような場合、呼接続要求信号から電話番号を取り出し、当該電話番号に対応づけられた有効期限が到来していないなら、当該電話番号に対応づけられた位置情報を宛先として、つまり、固定端末２や移動端末４に呼接続要求信号を送信し（呼を着信させ）、これにより、固定端末２や移動端末４を固定端末３に接続させる。
【００２３】
呼接続処理装置１は、呼接続要求信号がいずれの端末から送信されても、また、呼接続要求信号内の電話番号によらず、つまり、接続先がいずれの端末であっても、同様の方法で、呼を着信させ、端末どうしを接続させる。
【００２４】
図２は、呼接続処理装置１の概略構成を示すブロック図である。  
呼接続処理装置１は、各端末の位置情報が記憶される位置情報記憶部１１と、有効時間長閾値ＴＨが記憶される有効時間長閾値記憶部１２と、呼を着信させる呼接続処理部１３とを備える。
【００２５】
図３は、位置情報記憶部１１の内容の一例を示す図である。  
位置情報記憶部１１には、固定端末に割り当てられた電話番号のそれぞれについて、当該電話番号に対応づけられ、当該固定端末の位置情報を含む固定端末情報が記憶される。  また、位置情報記憶部１１には、移動端末に割り当てられた電話番号のそれぞれについて、当該電話番号に対応づけられ、当該移動端末の位置情報を含む移動端末情報が記憶される。
【００２６】
したがって、位置情報記憶部１１には、電話番号「０５０−１１１１−１１１１」に対応づけられ、固定端末２の位置情報（図ではＩＰアドレス「１２９．６０．８０．１」）を含む固定端末情報と、移動端末４の位置情報（図ではＩＰアドレス「１５９．１０．１００．５」）を含む移動端末情報とが記憶される。
【００２７】
各固定端末情報には、当該固定端末情報内の位置情報を含む位置情報登録要求に含まれていた有効時間長に基づいて計算された有効期限（図では「２０１１年５月３０日２３時０３分００秒」を例示）が書き込まれる。
【００２８】
各移動端末情報には、当該移動端末情報内の位置情報を含む位置情報登録要求に含まれていた有効時間長に基づいて計算された有効期限（図では「２０１１年５月３１日１０時１８分２０秒」を例示）が書き込まれる。
【００２９】
図４は、呼接続処理装置１が位置情報登録要求を受信した場合の動作を示すフローチャートである。
【００３０】
呼接続処理装置１では、位置情報登録要求を受信すると、まず、呼接続処理部１３が、有効時間長閾値記憶部１２から有効時間長閾値ＴＨを取得する（Ｓ１）。  
次に、呼接続処理部１３は、受信した位置情報登録要求から電話番号と位置情報と有効時間長を取り出す（Ｓ３）。  
次に、呼接続処理部１３は、当該有効時間長が有効時間長閾値ＴＨ以上か否かを判定する（Ｓ５）。
【００３１】
呼接続処理部１３は、当該有効時間長が有効時間長閾値ＴＨ以上（≧ＴＨ）なら、固定端末から当該位置情報登録要求が送信されたと判定し、つまり、当該位置情報登録要求に含まれる位置情報は、固定端末情報に書き込むべきものと判定し、よって、まず、呼接続処理部１３は、当該電話番号に対応づけられた固定端末情報を位置情報記憶部１１から検索する（Ｓ７）。
【００３２】
次に、呼接続処理部１３は、現在時刻に当該有効時間長を加えた時刻である有効期限を求める（Ｓ９）。  
次に、呼接続処理部１３は、当該固定端末情報に当該位置情報および当該有効期限を書き込む（Ｓ１１）。
【００３３】
次に、呼接続処理部１３は、当該位置情報登録要求を送信した端末（固定端末）に対し、位置情報を登録したことを示す応答を送信し（Ｓ１３）、処理を終える。
【００３４】
一方、呼接続処理部１３は、当該有効時間長が有効時間長閾値未満（<ＴＨ）なら、移動端末から当該位置情報登録要求が送信されたと判定し、つまり、当該位置情報登録要求に含まれる位置情報は、移動端末情報に書き込むべきものと判定し、よって、呼接続処理部１３は、まず、当該電話番号に対応づけられた移動端末情報を位置情報記憶部１１から検索する（Ｓ１７）。
【００３５】
次に、呼接続処理部１３は、現在時刻に当該有効時間長を加えた時刻である有効期限を求める（Ｓ１９）。  
次に、呼接続処理部１３は、当該移動端末情報に当該位置情報および当該有効期限を書き込む（Ｓ２１）。
【００３６】
次に、呼接続処理部１３は、当該位置情報登録要求を送信した端末（移動端末）に対し、位置情報を登録したことを示す応答を送信し（Ｓ１３）、処理を終える。
【００３７】
図５は、呼接続処理装置１が呼接続要求信号を受信した場合の動作を示すフローチャートである。
【００３８】
呼接続処理装置１では、呼接続要求信号を受信すると、まず、呼接続処理部１３が、受信した呼接続要求信号から電話番号を取り出し、当該電話番号に対応づけられた固定端末情報および移動端末情報を位置情報記憶部１１から検索する（Ｓ５１）。なお、呼接続処理部１３は、当該電話番号に対応づけられた固定端末情報および移動端末情報がともに位置情報記憶部１１になかった場合は、処理を終え、一方でもあったときは、処理を続ける。
【００３９】
次に、呼接続処理部１３は、当該固定端末情報および移動端末情報のそれぞれから、有効期限を読み出し、双方の有効期限が到来しているか否かを判定する（Ｓ５３）。つまり、呼接続処理部１３は、現在時刻が双方の有効期限より後の時刻であるか否かを判定する（Ｓ５３）。つまり、呼接続処理部１３は、固定端末情報および移動端末情報のそれぞれに書き込まれた位置情報が共に有効か否かを判定する（Ｓ５３）。
【００４０】
呼接続処理部１３は、双方の有効期限が到来しているなら（Ｓ５３：ＹＥＳ）、処理を終える。
【００４１】
一方、呼接続処理部１３は、少なくとも一方の有効期限が到来していないなら（Ｓ５３：ＮＯ）、固定端末情報から読み出した有効期限のみが到来していないのか、移動端末情報から読み出した有効期限のみが到来していないのか、双方の有効期限が到来していないのかを判定する（Ｓ５５）。
【００４２】
呼接続処理部１３は、固定端末情報から読み出した有効期限のみが到来していないなら、当該固定端末情報から位置情報を読み出し、当該位置情報を宛先として呼接続要求信号を送信する（呼を着信させる）ことで、当該呼接続要求信号を送信した端末と当該位置情報の位置の固定端末とを接続させ（Ｓ６１）、処理を終える。
【００４３】
呼接続処理部１３は、移動端末情報から読み出した有効期限のみが到来していないなら、当該移動端末情報から位置情報を読み出し、当該位置情報を宛先として呼接続要求信号を送信する（呼を着信させる）ことで、当該呼接続要求信号を送信した端末と当該位置情報の位置の移動端末とを接続させ（Ｓ６３）、処理を終える。
【００４４】
呼接続処理部１３は、双方の有効期限が到来していないなら、当該固定端末情報から位置情報を読み出し、当該位置情報を宛先として呼接続要求信号を送信する（呼を着信させる）ことで、当該呼接続要求信号を送信した端末と当該位置情報の位置の固定端末とを接続させ、その後、当該移動端末情報から位置情報を読み出し、当該位置情報を宛先として呼接続要求信号を送信する（呼を着信させる）ことで、当該呼接続要求信号を送信した端末と当該位置情報の位置の移動端末とを接続させ（Ｓ６５）、処理を終えるか、または、移動端末情報から読み出した位置情報を宛先として呼接続要求信号を送信し（呼を着信させ）てから、固定端末情報から読み出した位置情報を宛先として呼接続要求信号を送信する（呼を着信させる）ことで、端末どうしを接続させ（Ｓ６５）、処理を終えるか、または、双方の呼接続要求信号の送信を同時に行うことで、端末どうしを接続させ（Ｓ６５）、処理を終える。
【００４５】
図６は、固定端末２から位置情報登録要求が送信された場合のシーケンス図である。  
固定端末２は、例えば、固定端末２を収容する網から位置情報「１２９．６０．８０．１」が付与されたとき、電話番号「０５０−１１１１−１１１１」と位置情報「１２９．６０．８０．１」と有効時間長閾値ＴＨ（ここでは、３６００秒とする）以上の有効時間長（ここでは、７２００秒とする）とを含む位置情報登録要求を呼接続処理装置１に送信する（Ｔ１）。
【００４６】
呼接続処理装置１では、呼接続処理部１３が、有効時間長「７２００秒」が有効時間長閾値ＴＨ「３６００秒」以上か否かを判定し、有効時間長「７２００秒」が有効時間長閾値ＴＨ「３６００秒」以上なので、位置情報登録要求に含まれる位置情報「１２９．６０．８０．１」は、固定端末情報に書き込むべきものと判定する（Ｔ３）。
【００４７】
次に、呼接続処理部１３は、現在時刻（ここでは、２０１１年５月３０日２１時０３分００秒とする）に有効時間長「７２００秒」つまり「２時間」を加えた時刻である有効期限「２０１１年５月３０日２３時０３分００秒」を求め、当該固定端末情報に位置情報「１２９．６０．８０．１」および有効期限「２０１１年５月３０日２３時０３分００秒」を書き込む（Ｔ５）。
【００４８】
次に、呼接続処理部１３は、当該位置情報登録要求を送信した固定端末２に対し、位置情報を登録したことを示す応答（ＯＫ）を送信し（Ｔ７）、処理を終える。
【００４９】
なお、図示しないが、移動端末４は、例えば、位置情報を付与されたとき、電話番号「０５０−１１１１−１１１１」と位置情報と有効時間長閾値ＴＨ（３６００秒）未満の有効時間長（例えば、６００秒）とを含む位置情報登録要求を呼接続処理装置１に送信する。
【００５０】
呼接続処理装置１では、呼接続処理部１３が、有効時間長「６００秒」が有効時間長閾値ＴＨ「３６００秒」未満以上なので、位置情報は、移動端末情報に書き込むべきものと判定する。
【００５１】
呼接続処理部１３は、現在時刻（例えば、２０１１年５月３１日１０時０８分２０秒）に有効時間長「６００秒」つまり「１０分」を加えた時刻である有効期限「２０１１年５月３１日１０時１８分２０秒」を求め、当該移動端末情報に位置情報および有効期限「２０１１年５月３１日１０時１８分２０秒」を書き込み、応答を移動端末４に送信し、処理を終える。
【００５２】
図７は、固定端末３から呼接続要求信号が送信された場合のシーケンス図である。  
例えば、ユーザＢは、ユーザＡと通話すべく、固定端末３に電話番号「０５０−１１１１−１１１１」を入力し、これにより、固定端末３は、当該電話番号を含む呼接続要求信号を呼接続処理装置１に送信する（Ｔ１１）。
【００５３】
呼接続処理装置１では、呼接続処理部１３が、電話番号「０５０−１１１１−１１１１」に対応づけられた固定端末情報および移動端末情報から有効期限を読み出し、有効期限により、例えば、固定端末２および移動端末４それぞれの位置情報が有効と判定される（Ｔ１３）。
【００５４】
この場合、呼接続処理部１３は、固定端末２および移動端末４に呼接続要求信号を送信する（Ｔ１５、Ｔ１７）。
【００５５】
例えば、ユーザＡは、移動端末４を操作できず、そのため、移動端末４から呼接続処理装置１に応答が送信されない。
【００５６】
一方、例えば、ユーザＡの自宅にいる家族は、固定端末２を操作でき、これにより、移動端末４から呼接続処理装置１に応答（ＯＫ）が送信される（Ｔ１９）。
【００５７】
呼接続処理部１３は、この場合、固定端末３に応答（ＯＫ）を送信し（Ｔ２１）、これにより、固定端末３と固定端末２が接続され、通信が行われる（Ｔ２３）。
【００５８】
よって、ユーザＢは、ユーザＡに伝えたいことを、ユーザＡの家族に話し、家族からユーザＡに伝えてもらうことができる。
【００５９】
または、固定端末２が留守録音の機能を有していれば、ユーザＡは、自宅に帰ってから、録音された用件を聞くことができる。
【００６０】
逆に、自宅にはユーザＡも家族もいない場合、ユーザＡが移動端末４を操作できれば、ユーザＡは、移動端末４を介して、用件を聞くことができる。
【００６１】
以上説明したように、本実施の形態において、呼接続処理装置１は、呼接続処理装置１とともに使用される移動端末４と固定端末３のそれぞれに同一の電話番号が割り当てられ、移動端末４は、当該電話番号と移動端末４の位置を示す位置情報と予め定められた有効時間長閾値未満の有効時間長とを含む位置情報登録要求を呼接続処理装置１に送信する一方、固定端末２は、当該電話番号と固定端末２の位置を示す位置情報と有効時間長閾値以上の有効時間長とを含む位置情報登録要求を呼接続処理装置１に送信するようになっており、呼接続処理装置１は、当該電話番号に対応づけて、移動端末４からの位置情報登録要求に含まれる位置情報および当該位置情報登録要求に含まれる有効時間長に基づく有効期限が書き込まれる移動端末情報ならびに、固定端末２からの位置情報登録要求に含まれる位置情報および当該位置情報登録要求に含まれる有効時間長に基づく有効期限が書き込まれる固定端末情報が記憶される位置情報記憶部１１と、有効時間長閾値が記憶される有効時間長閾値記憶部１２と、位置情報登録要求を受信したなら、有効時間長閾値記憶部１２から有効時間長閾値を取得し、当該位置情報登録要求から電話番号と位置情報と有効時間長を取り出し、当該有効時間長が当該有効時間長閾値以上なら、当該電話番号に対応づけられた固定端末情報を位置情報記憶部１１から検索し、当該有効時間長に基づく有効期限を求め、当該固定端末情報に当該位置情報および当該有効期限を書き込む一方、当該有効時間長が有効時間長閾値未満なら、当該電話番号に対応づけられた移動端末情報を位置情報記憶部１１から検索し、当該有効時間長に基づく有効期限を求め、当該移動端末情報に当該位置情報および当該有効期限を書き込み、前記電話番号を含む呼接続要求信号を受信したなら、当該呼接続要求信号から当該電話番号を取り出し、当該電話番号に対応づけられた移動端末情報を位置情報記憶部１１から検索し、当該移動端末情報から有効期限を読み出し、当該有効期限が到来していないなら、当該移動端末情報から位置情報を読み出し、当該位置情報を宛先として呼接続要求信号を送信する一方、当該電話番号に対応づけられた固定端末情報を位置情報記憶部１１から検索し、当該固定端末情報から有効期限を読み出し、当該有効期限が到来していないなら、当該固定端末情報から位置情報を読み出し、当該位置情報を宛先として呼接続要求信号を送信する呼接続処理部１３とを備えることで、同一の電話番号を付与された固定端末２と移動端末４のどちらにも呼を着信させることができ、利便性を高めることができる。
【００６２】
なお、本実施の形態では、移動端末については有効時間長が有効時間長閾値未満、固定端末については有効時間長が有効時間長閾値以上としたが、移動端末については有効時間長が有効時間長閾値以下、固定端末については有効時間長が有効時間長閾値より大きいとしてもよい。つまり、有効時間長と有効時間長閾値が等しい場合は、移動端末か固定端末かを予め定めておき、移動端末および固定端末も、そのような有効時間長を含む位置情報登録要求を送信するようにしておけばよい。
【００６３】
なお、本実施の形態に係る呼接続処理装置１としてコンピュータを機能させるためのコンピュータプログラムは、半導体メモリ、磁気ディスク、光ディスク、光磁気ディスク、磁気テープなどのコンピュータ読み取り可能な記録媒体に記録でき、また、インターネットなどの通信網を介して伝送させて、広く流通させることができる。
【符号の説明】
【００６４】
１…呼接続処理装置
２、３…固定端末
４…移動端末
１１…位置情報記憶部
１２…有効時間長閾値記憶部
１３…呼接続処理部
【図１】
0005524907.tif 000002
【図２】
0005524907.tif 000003
【図３】
0005524907.tif 000004
【図４】
0005524907.tif 000005
【図５】
0005524907.tif 000006
【図６】
0005524907.tif 000007
【図７】
0005524907.tif 000008